(57)【要約】      （修正有）【課題】ライナーと中芯との接着の強度を増強し、ライナーの破れに対する強度を強化するシングルフェーサーを提供する。【解決手段】シングルフェーサーは、メイン段ロール１０と、サブ段ロール２０とによって中芯５ａを加圧して波型に形成し。さらに糊ロール３０で波型に形成した中芯５ａの段頂に糊を塗布し、ライナー５ｂを接着して片面段ボール５ｃを形成する。片面段ボール５ｃのライナー５ｂと中芯５ｃはメイン段ロール１０と可撓性ベルト１００とによって加圧される。可撓性ベルト１００は、予め調整装置によって幅を調整する。例えば、図３Ｂに開示するように調整装置内の昇降手段１３０によって、可撓性ベルト１００のライナー５ｂと接触する面の幅を調整する。製造した片面段ボール５ｃは、ライナー５ｂに押し圧の痕が発生しにくく、ライナー５ｂの品質を低下させない。【選択図】図３Ａ
0003120499.tif 000002
【実用新案登録請求の範囲】
【請求項１】
１組以上の可撓性ベルトと、１組以上の調整装置を含んでなり、
それぞれの該可撓性ベルトが対応する調整装置によって昇降の度合いが調整され、該可撓性ベルトのライナーと接触する面の幅が変更されるように構成することを特徴とするシングルフェーサー。
【請求項２】
前記調整装置に１以上の揺動アームを選択的に設けて、該可撓性ベルトのライナーと接触する面の幅が変更されるように構成することを特徴とする請求項１に記載のシングルフェーサー。
【請求項３】
前記調整装置に１以上の昇降手段を選択的に設けて、該可撓性ベルトのライナーと接触する面の幅が変更されるように構成することを特徴とする請求項１に記載のシングルフェーサー。
【請求項４】
前記調整装置に１以上の昇降手段を選択的に設けて、該可撓性ベルトのライナーと接触する面の幅が変更されるように構成することを特徴とする請求項２に記載のシングルフェーサー。
【請求項５】
前記調整装置に１以上の伸縮手段を選択的に設けて、該可撓性ベルトが昇降する場合に発生するテンションを調整するように構成することを特徴とする請求項１に記載のシングルフェーサー。
【請求項６】
前記調整装置に１以上の伸縮手段を選択的に設けて、該可撓性ベルトが昇降する場合に発生するテンションを調整するように構成することを特徴とする請求項４に記載のシングルフェーサー。
【請求項７】
前記調整装置に１以上のローラセットを選択的に該可撓性ベルトのライナーと接触する面の幅が変更されるように構成することを特徴とする請求項１に記載のシングルフェーサー。
【請求項８】
前記調整装置に１以上のローラセットを選択的に該可撓性ベルトのライナーと接触する面の幅が変更されるように構成することを特徴とする請求項１に記載のシングルフェーサー。
【請求項９】
前記シングルフェーサーが、片面段ボールを過熱する時間を増加するサブ加熱ローラをさらに含むことを特徴とする請求項１に記載のシングルフェーサー。
【考案の詳細な説明】
【技術分野】
【０００１】
この考案は段ボールシート製造機を構成するシングルフェーサーの改良構造に関する。
【背景技術】
【０００２】
従来の段ボールシート製造装置のシングルフェーサーは、図１に開示するように、メイン段ロール１０とサブ段ロール２０とによって中芯５ａを波型に成形し、さらに糊ロールで波型に成形した中芯の段頂に糊を塗布し、ライナー５ｂを接着して片面段ボール５ｃを形成する。片面段ボール５ｃを構成する中芯５ａはメイン段ロール１０とプレスロール４０とによって加圧して接着させる。
【０００３】
しかしながら、従来のシグルフェーサーは、中芯に接着するライナーに加圧する面積がせまく、かつライナーとプレスロールの接触も短い。接着の強度を増強させようとすれば、目下の技術では無理である。ライナーに対する加圧が不十分であることは、例えば図２に開示するように、ライナーの繊維組織が破壊されるといった状況が常に発生し、またライナー５ｂに押し圧した痕が発生し、破れに対する強度が低下する。
【考案の開示】
【考案が解決しようとする課題】
【０００４】
この考案はライナーと中芯との接着の強度を増強し、段ボールシートの加工において発生するライナーの破れを防ぎ、ライナーの破れに対する強度を強化を高めることのできるシングルフェーサーを提供することを課題とする。
【０００５】
また、この考案は段ボールシートに対する加熱時間を延長させて、段ボールシートの接着の度合いを高めるとともに、生産の速度を高めることのできるシングルフェーサーを提供することを課題とする。
【課題を解決するための手段】
【０００６】
そこで、本考案の考案者は従来の技術に見られる欠点に鑑みて鋭意研究を重ねた結果、１組以上の可撓性ベルトと、１組以上の調整装置を含んでなり、それぞれの該可撓性ベルトが対応する調整装置によって昇降の度合いが調整され、該可撓性ベルトのライナーと接触する面の幅が変更されるように構成されるシングルフェーサーによって課題を解決できる点に着眼し、かかる知見に基づいて本発明を完成させた。
【０００７】
以下、この考案について具体的に説明する。
請求項１に記載するシングルファーザーは、１組以上の可撓性ベルトと、１組以上の調整装置を含んでなり、それぞれの該可撓性ベルトが対応する調整装置によって昇降の度合いが調整され、該可撓性ベルトのライナーと接触する面の幅が変更されるように構成する。
【０００８】
請求項２に記載するシングルフェーサーは、請求項１における調整装置に１以上の揺動アームを選択的に設けて、該可撓性ベルトのライナーと接触する面の幅が変更されるように構成する。
【０００９】
請求項３に記載するシングルフェーサーは、請求項１における調整装置に１以上の昇降手段を選択的に設けて、該可撓性ベルトのライナーと接触する面の幅が変更されるように構成する。
【００１０】
請求項４に記載するシングルフェーサーは、請求項２における調整装置に１以上の昇降手段を選択的に設けて、該可撓性ベルトのライナーと接触する面の幅が変更されるように構成する。
【００１１】
請求項５に記載するシングルフェーサーは、請求項１における調整装置に１以上の伸縮手段を選択的に設けて、該可撓性ベルトが昇降する場合に発生するテンションを調整するように構成する。
【００１２】
請求項６に記載するシングルフェーサーは、請求項４における調整装置に１以上の伸縮手段を選択的に設けて、該可撓性ベルトが昇降する場合に発生するテンションを調整するように構成する。  
【００１３】
請求項７に記載するシングルフェーサーは、請求項１における調整装置に１以上のローラセットを選択的に該可撓性ベルトのライナーと接触する面の幅が変更されるように構成する。
【００１４】
請求項８に記載するシングルフェーサーは、請求項１における調整装置に１以上のローラセットを選択的に該可撓性ベルトのライナーと接触する面の幅が変更されるように構成する。
【００１５】
請求項９に記載するシングルフェーサーは、請求項１におけるシングルフェーサーが、片面段ボールを過熱する時間を増加するサブ加熱ローラをさらに含む。
【考案の効果】
【００１６】
この考案によるシングルフェーサーはライナーと中芯との接着の強度を増強し、段ボールシートの加工において発生するライナーの破れを防ぎ、ライナーの破れに対する強度を強化を高めるとともに、生産の速度を高め、生産性を高くすることができるという利点を有する。
【考案を実施するための最良の形態】
【００１７】
この考案は、段ボールシート製造機を構成するシングルフェーサーを提供するものであって、１組以上の可撓性ベルトと、１組以上の調整装置を含んでなり、それぞれの該可撓性ベルトが対応する調整装置によって昇降の度合いが調整され、該可撓性ベルトのライナーと接触する面の幅が変更されるように構成することによって、ライナーと中芯との接着の強度を増強し、ライナーの破れに対する強度を強化するという目的を達成した、
かかるシングルフェーサーの構造と特徴を詳述するために具体的な実施例を挙げ、図示を参照にして以下に説明する。
【実施例】
【００１８】
図３Ａに、この考案によるシングルフェーサーを開示する。図面によれば、１組以上の可撓性ベルト１００と、１組以上の調整装置を含む。それぞれの可撓性ベルト１００は調整装置によって昇降の度合いと幅が調整され、それぞれの可撓性ベルト１００のライナー５ｂと接触する面の幅を変更するために用いられる。
【００１９】
該調整装置は、１以上の揺動アーム１１０と、１以上の伸縮手段１２０と、１以上の昇降手段と、１以上のローラセット１４０を選択的に設けて、可撓性ベルト１００のライナー５ｂと接触する幅を調整する。
【００２０】
この考案によるシングルフェーサーは、メイン段ロール１０と、サブ段ロール２０とによって中芯５ａを加圧して波型に形成し。さらに糊ロール３０で波型に形成した中芯５ａの段頂に糊を塗布し、ライナー５ｂを接着して片面段ボール５ｃを形成する。片面段ボール５ｃのライナー５ｂと中芯５ｃはメイン段ロール１０と可撓性ベルト１００とによって加圧される。可撓性ベルト１００は、予め調整装置によって幅を調整する。例えば、図３Ｂに開示するように該調整装置内の昇降手段１３０によって、可撓性ベルト１００のライナー５ｂと接触する面の幅を調整する。
【００２１】
図３Ｃに開示するように、この考案によるシングルフェーサーによって製造した片面段ボール５ｃは、ライナー５ｂに押し圧の痕が発生しにくく、ライナー５ｂの品質を低下させることがない。
【００２２】
図４Ａと図４Ｂは、図３Ｂに開示する状態の斜視説明図であって、上述する動作の状況が明らかに開示されている。
【００２３】
図５Ａに開示するように、この考案によるシングルフェーサーは、段ボールシートの幅によってなる面積の可撓性ベルト１００ａ、１００ｂ、１００ｃと調整装置を用いる。段ボールシートの幅が比較的狭い場合、外側の２組以上の可撓性ベルト１００ｂ、１００ｃは、それぞれの可撓性ベルトに属する調整装置を用いて上方に上げて、中間の可撓性ベルト１００ａのみで貼り合わせの工程を行う。
【００２４】
この考案においては、さらにサブ加熱ロール１５０を設けて、段ボールシートに対する加熱時間を増加して、段ボールシートの接着の度合いを高め、かつ生産の速度を高める。図面の開示はこの考案の実施例を示したものであって、実際に応用する場合、その組み合わせ方式、数量などは図面の開示に限られることはない。
【００２５】
図５Ｂに、他の実施形態を開示する。図面によれば、調整装置は１組の伸縮手段１２０と３組のローラセット１４０ａ、１４０ｂ、１４０ｃを具え、特定の必要に応じてローラセット１４０ａを伸縮手段１２０上に固定して、伸縮手段１２０によって可撓性ベルト１００のテンションと、可撓性ベルト１００のライナー５ｂと接触する面積を制御する。
【００２６】
図５ｃに、別の実施形態を開示する。図面によれば、調整装置は３組のローラセット１４０ａ、１４０ｂ、１４０ｃを具え、特定の必要に応じてローラセット１４０ｃの位置を制御して可撓性ベルト１００でライナー５ｂと中芯５ａを押し圧する。
【００２７】
上述する実施例はこの考案の説明の便宜を図るために挙げた応用例であって、実際にこの考案を実施する場合、その組み合わせ方法、数量などは、図示に掲げる形態に制限されるものではない。
【００２８】
ここで注目すべき点は、上述する調整装置が揺動アーム１１０、伸縮手段１２０、昇降手段１３０、ローラセット１４０を具え、その部品、及び駆動方式は従来の技術を応用できるという点である。例えば、揺動アーム１１０はモータで駆動することができる。昇降手段１３０は液圧シリンダ、カム、もしくはスクリューロッドなど駆動することができる。これらは、いずれも本願考案で保護されるべき範囲に属する。
【図面の簡単な説明】
【００２９】
【図１】従来のシングルフェーサーの構造を示した説明図である。
【図２】従来のシングルフェーサーで製造した片面断ボールの構造を示した説明図である。
【図３Ａ】この考案によるシングルフェーサーの構造を示した説明図である。
【図３Ｂ】この考案によるシングルフェーサーの構造を示した他の説明図である。
【図３Ｃ】この考案によるシングルフェーサーで製造した片面断ボールを示した斜視図である。
【図４Ａ】この考案によるシングルフェーサーの動作を示した説明図である。
【図４Ｂ】この考案によるシングルフェーサーの動作を示した他の説明図である。
【図５Ａ】他の実施形態によるシングルフェーサーの構造を示した斜視図である。
【図５Ｂ】その他実施形態よるシングルフェーサーの構造を示した断面説明図である。
【図５Ｃ】別の実施形態よるシングルフェーサーの構造を示した断面説明図である。
【符号の説明】
【００３０】
１０                  メイン段ロール
１００、１００ａ、１００ｂ、１００ｃ                  可撓性ベルト
１１０                            揺動アーム
１２０                            伸縮手段
１３０                            昇降手段
１４０、１４０ａ、１４０ｂ、１４０ｃ                  ローラセット
１５０                            サブ加熱ローラ
２０                  サブ段ロール
３０                  糊ロール
４０                  プレスロール
【図１】
0003120499.tif 000003
【図２】
0003120499.tif 000004
【図３Ａ】
0003120499.tif 000005
【図３Ｂ】
0003120499.tif 000006
【図３Ｃ】
0003120499.tif 000007
【図４Ａ】
0003120499.tif 000008
【図４Ｂ】
0003120499.tif 000009
【図５Ａ】
0003120499.tif 000010
【図５Ｂ】
0003120499.tif 000011
【図５Ｃ】
0003120499.tif 000012